(57)【要約】【課題】表示部を有する筐体とキー入力部を有する筐体とが可動機構で連結され、その作動状態がオープンまたはクローズ状態となる構造を有しながら、撮像画像および付加情報の画像を、可動機構の作動状態に応じた適切な状態で表示部に表示させることができる撮像装置を提供する。【解決手段】表示部１５５の表示画面１０４上において撮像画像とともに表示される付加情報の画像の配置が開閉判定部１５３の判定結果に応じて変更される。そのため、オープン状態の場合とクローズ状態の場合とで撮影しやすい筐体の持ち方が異なるとともに、その持ち方の違いによって使用者に対する表示画面１０４の向きが変わってしまう場合でも、それぞれの持ち方における表示画面の向きに合わせて付加情報の画像の配置を適切に変更することが可能になり、付加情報の視認性を高めることができる。【選択図】      図６
2005123908.tif 000002
【特許請求の範囲】
【請求項１】
第１の筐体と、
撮像画像を表示する表示手段を備え、可動機構を介して上記第１の筐体に連結された第２の筐体と、
上記可動機構の作動状態を判定する作動状態判定手段と、
上記作動状態判定手段の判定結果に応じて、上記表示手段の表示画面上において上記撮像画像とともに表示される付加情報の画像の配置を変更する制御手段と、
を有することを特徴とする撮像装置。
【請求項２】
上記表示画面上における上記付加情報の画像の配置情報を、上記作動状態判定手段の判定結果に関連づけて記憶する記憶手段を有し、
上記制御手段は、上記作動状態判定手段の判定結果に対応する上記配置情報を上記記憶手段から取得し、当該取得した配置情報に応じて、上記付加情報の画像の配置を変更する、
請求項１に記載の撮像装置。
【請求項３】
上記第１の筐体または上記第２の筐体の一方もしくは両方に配置された複数の情報入力手段を有し、
上記制御手段は、撮像機能に関連する処理の流れを制御するための情報と、当該情報の入力に用いる上記情報入力手段との対応付けを、上記作動状態判定手段において判定された作動状態に応じて設定し、当該対応付けが設定された少なくとも一部の情報入力手段を表す画像の上記表示画面上における位置および向きを、当該判定された作動状態に応じて変更する、
請求項１または２に記載の撮像装置。
【請求項４】
上記付加情報は、上記撮像画像のズーム率もしくは動画撮影の経過時間を含み、
上記制御手段は、上記ズーム率もしくは上記経過時間を表す画像の上記表示画面上における位置および向きを、上記作動状態判定手段の判定結果に応じて変更する、
請求項１乃至３の何れか一に記載の撮像装置。
【請求項５】
上記ズーム率もしくは上記経過時間を表す画像は、略長方形状で形成され、
上記制御手段は、上記ズーム率もしくは上記経過時間を表す画像の長手方向の長さを、上記作動状態判定手段の判定結果に応じて変更する、
請求項４に記載の撮像装置。
【請求項６】
上記付加情報は、上記撮像画像のズーム率もしくは動画撮影の経過時間を含み、
上記制御手段は、上記ズーム率もしくは上記経過時間を表す画像の上記表示画面上における位置および向きを、上記作動状態判定手段の判定結果によらず一定に保つと共に、上記ズーム率もしくは上記経過時間を表す画像を除く上記付加情報の画像の配置を上記作動状態判定手段の判定結果に応じて変更する、
請求項１乃至３の何れか一に記載の撮像装置。
【請求項７】
上記制御手段は、上記表示画面上に表示させる撮像画像の大きさまたはアスペクト比を、上記作動状態判定手段の判定結果に応じて変更する、
請求項１乃至６の何れか一に記載の撮像装置。
【請求項８】
２つの筐体と、共通の回転軸を中心にして当該２つの筐体を回転させる可動機構とを有する撮像装置であって、
撮像手段と、
上記２つの筐体の一方に配置され、上記撮像手段の撮像画像を表示する表示手段と、
上記可動機構の作動状態が、上記表示手段を備える筐体によって他方の筐体の所定の領域を覆う第１の作動状態、または、当該所定の領域を露出させる第２の作動状態の何れであるかを判定する作動状態判定手段と、
上記作動状態判定手段の判定結果に応じて、上記表示手段の表示画面上において上記撮像画像とともに表示される付加情報の画像の配置を変更する制御手段と、
を有することを特徴とする撮像装置。
【発明の詳細な説明】
【技術分野】
【０００１】
本発明は、静止画や動画の撮像を行う撮像装置、ならびに、撮像機能を有する携帯電話に関するものである。
【背景技術】
【０００２】
従来、比較的高機能なカメラには、カメラ撮影に関わる各種の情報（シャッタ速度や露出補正量、撮影枚数など）を表示するために、ＬＣＤ（liquid crystal display）などの小型の表示デバイスが用いられている。
例えば特許文献１は、そのような情報を表示用の液晶表示部を備えたカメラに関する技術が記載されている。
【０００３】
一方、プロセッサの処理能力の向上や低消費電力技術の進展に伴って、携帯電話やＰＤＡなどの携帯型の電子機器がますます高機能化しており、静止画や動画の撮像機能を有する携帯電話は今や常識になっている。このような撮像機能付きの携帯電話においても、各種の情報を撮像画像とともに表示するためにＬＣＤ等の表示デバイスが利用されている。
【０００４】
【特許文献１】特開２００２−１６２６７４号公報
【発明の開示】
【発明が解決しようとする課題】
【０００５】
ところで、近年の携帯電話は、表示部とキー入力部とがそれぞれ別の筐体に配置されたものが多い。この種の携帯電話は、一般的な操作スタイルとして、２つの筐体が折り畳まれてキー入力部が内側に隠れる状態（クローズ状態）と、キー入力部および表示部が共に露出する状態（オープン状態）とを有している。
【０００６】
また、こうした２筐体型の構造には、一般に、クローズ状態において表示部が内側に隠れるタイプと外側に露出したままのタイプとがある。
前者のタイプには、例えば、表示部の面とキー入力部の面とが向き合った状態で内側に折り畳まれるタイプがある。後者のタイプには、例えば、表示部の面とキー入力部の面とをほぼ平行な状態で相対的に回転させる機構を有し、クローズ状態において、表示部の筐体の下にキー入力部の面が隠れるタイプがある。
【０００７】
後者のタイプでは、オープン状態およびクローズ状態の何れにおいても表示部が使用可能であるため、通常は、カメラの撮影も両方の操作スタイルにおいて実行可能である。
【０００８】
両方の操作スタイルにおいて撮影を行う場合、使用者の筐体の持ち方もこれに合わせて変更した方がカメラとして操作し易いことがある。
すなわち、オープン状態ではキー入力部が使用可能になるため、片手での使用を考えると、キー入力部の筐体を把持した状態で撮影を行えることが好ましい。一方、クローズ状態ではキー入力部が使用不能になるため、多くの場合、オープン状態とは別のシャッタ・ボタンを使用する必要がある。したがって、クローズ状態用のシャッタ・ボタンの配置によっては、筐体の持ち方を変更した方がカメラとして使い易くなる。
【０００９】
しかしながら、従来は、操作スタイルを変更しても、表示部において撮像画像とともに表示される各種の情報の付加画像（文字や記号）の配置はそのまま変わらない。そのため、操作スタイルの変更に伴って使用者に対する表示画面の向きが変わってしまうと、これらの付加情報の視認性が低下してしまい、操作しづらくなるという不利益があった。
【００１０】
本発明はかかる事情に鑑みてなされたものであり、その目的は、可動機構を介して連結された２つの筐体を有し、その一方の筐体に表示部を備えた構造でありながら、撮像画像および付加情報の画像を、可動機構の作動状態に応じた適切な状態で表示部に表示させることができる撮像装置を提供することにある。
【課題を解決するための手段】
【００１１】
上記の目的を達成する第１の発明は、第１の筐体と、撮像画像を表示する表示手段を備え、可動機構を介して上記第１の筐体に連結された第２の筐体と、上記可動機構の作動状態を判定する作動状態判定手段と、上記作動状態判定手段の判定結果に応じて、上記表示手段の表示画面上において上記撮像画像とともに表示される付加情報の画像の配置を変更する制御手段とを有することを特徴とする。
【００１２】
好適には、上記第１の発明は、上記表示画面上における上記付加情報の画像の配置情報を、上記作動状態判定手段の判定結果に関連づけて記憶する記憶手段を有し、上記制御手段は、上記作動状態判定手段の判定結果に対応する上記配置情報を上記記憶手段から取得し、当該取得した配置情報に応じて、上記付加情報の画像の配置を変更する。
【００１３】
また、上記第１の発明は、上記第１の筐体または上記第２の筐体の一方もしくは両方に配置された複数の情報入力手段を有しても良く、この場合、上記制御手段は、撮像機能に関連する処理の流れを制御するための情報と、当該情報の入力に用いる上記情報入力手段との対応付けを、上記作動状態判定手段において判定された作動状態に応じて設定し、当該対応付けが設定された少なくとも一部の情報入力手段を表す画像の上記表示画面上における位置および向きを、当該判定された作動状態に応じて変更しても良い。
【００１４】
上記付加情報は、上記撮像画像のズーム率もしくは動画撮影の経過時間を含んでいても良く、この場合、上記制御手段は、上記ズーム率もしくは上記経過時間を表す画像の上記表示画面上における位置および向きを、上記作動状態判定手段の判定結果に応じて変更しても良い。
また、上記ズーム率もしくは上記経過時間を表す画像は略長方形状で形成されていても良く、この場合、上記制御手段は、上記ズーム率もしくは上記経過時間を表す画像の長手方向の長さを、上記作動状態判定手段の判定結果に応じて変更しても良い。
【００１５】
あるいは、上記制御手段は、上記ズーム率もしくは上記経過時間を表す画像の上記表示画面上における位置および向きを、上記作動状態判定手段の判定結果によらず一定に保つと共に、上記ズーム率もしくは上記経過時間を表す画像を除く上記付加情報の画像の配置を上記作動状態判定手段の判定結果に応じて変更しても良い。
【００１６】
また、上記制御手段は、上記表示画面上に表示させる撮像画像の大きさまたはアスペクト比を、上記作動状態判定手段の判定結果に応じて変更しても良い。
【００１７】
上記の目的を達成する第２の発明は、２つの筐体と、共通の回転軸を中心にして当該２つの筐体を回転させる可動機構とを有する撮像装置であって、撮像手段と、上記２つの筐体の一方に配置され、上記撮像手段の撮像画像を表示する表示手段と、上記可動機構の作動状態が、上記表示手段を備える筐体によって他方の筐体の所定の領域を覆う第１の作動状態、または、当該所定の領域を露出させる第２の作動状態の何れであるかを判定する作動状態判定手段と、上記作動状態判定手段の判定結果に応じて、上記表示手段の表示画面上において上記撮像画像とともに表示される付加情報の画像の配置を変更する制御手段とを有することを特徴とする。
【発明の効果】
【００１８】
本発明によれば、可動機構を介して連結された２つの筐体を有し、その一方の筐体に表示部を備えた構造でありながら、撮像画像および付加情報の画像を、可動機構の作動状態に応じた適切な状態で表示部に表示させることができる。
【発明を実施するための最良の形態】
【００１９】
以下、撮像機能を有する携帯電話に本発明を適用した場合の一実施形態について、図面を参照しながら述べる。
【００２０】
図１および図２は、本発明の実施形態に係る携帯電話１０のオープン状態およびクローズ状態における外観の一例を図解した図である。
図１（Ａ），（Ｂ），（Ｃ）は、オープン状態における携帯電話１０の表側、側面、裏側の外観をそれぞれ示す。
図２（Ａ），（Ｂ），（Ｃ）は、クローズ状態における携帯電話１０の表側、側面、裏側の外観をそれぞれ示す。
【００２１】
図に示すように、携帯電話１０は、２つの筐体（第１の筐体１０１、第２の筐体１０２）を有しており、これらの筐体が可動機構１０３を介して連結される。
第１の筐体１０１および第２の筐体１０２は、何れも角に丸みを帯びた長方形に近い板状の形を有しており、互いのサイズが近似している。これら２つの筐体は、上記した長方形の面上における片側の短辺の中央に近い部分において、長方形の面を互いに向けた状態で、可動機構１０３により連結される。可動機構１０３は、互いの長方形の面を貫く方向に伸びる回転軸を中心に、２つの筐体を相対的に回転させる。
【００２２】
オープン状態では、図１（Ａ）および図１（Ｃ）に示すように、正面もしくは裏面から見ると２つの筐体の長辺が平行な状態になる。連結部に対して離れた側にあるそれぞれの筐体の短辺は、上述の回転軸を間に挟んで平行に向き合う配置となり、最も離れた状態になる。また、図１（Ｂ）に示すように、第２の筐体１０２は、横から見ると第１の筐体１０１に対し傾いた状態となる。
【００２３】
一方、クローズ状態においても、図２（Ａ）および図２（Ｃ）に示すように、２つの筐体の長辺は平行な状態になるが、連結部に対して離れた側にあるそれぞれの筐体の短辺は、上述の回転軸を間に挟まないで平行に向き合う配置となり、最も近づいた状態になる。また、図２（Ｂ）に示すように、第１の筐体１０１および第２の筐体１０２の長方形の面は横から見てほぼ平行になり、２つの筐体は互いに重ね合わせられた状態となる。
【００２４】
第２の筐体１０２に接している側の第１の筐体１０１の面（以降、第１の筐体１０１の表面と表記する）上には、図１（Ａ）に示すように、操作キー１１１〜１１９および１２１が配置される。これらの操作キーは、何れもオープン状態において使用されるキーであり、キー入力部１５４に含まれる。
【００２５】
操作キー１１１および１１２は、処理モードに応じて種々の機能が割り当てられるキーである。
ここで、第１の筐体１０１の上側を連結部に近い側と定義すると（以降、この定義を用いて説明する）、操作キー１１１は、第１の筐体１０１の表面の左上隅に配置され、操作キー１１２は、この表面の右上隅に配置される。
【００２６】
操作キー１１３は、電子メールの作成・送信・受信等に関わる処理モードを呼び出す機能が割り当てられたキーであり、第１の筐体１０１の表面において、操作キー１１１の下に配置される。
操作キー１１４は、インターネットのＷｅｂページの閲覧に関わる処理モードを呼び出す機能が割り当てられたキーであり、第１の筐体１０１の表面において、操作キー１１２の下に配置される。
【００２７】
操作キー１１５は、各種の処理モードにおいて処理対象の選択等に利用されるキーであり、上下左右の４方向のキーを含んだ楕円形の形状を有する。例えば、処理内容の一覧を画面に表示させて使用者に処理内容の選択を促す処理モード（以降、メニュー選択モードと表記する）において、選択の対象を上下左右に移動させるために用いられる。この操作キー１１５は、第１の筐体１０１の表面において、操作キー１１１および１１３と操作キー１１２および１１４との間に挟まれた位置に配置される。
【００２８】
操作キー１１６は、各種の処理モードにおいて処理内容の決定等に利用されるキーである。例えば、上述したメニュー選択モードにおいて選択結果の決定を指示するために用いられる。また、カメラ撮影を行う処理モード（以降、カメラ・モードと表記する）においては、撮像の実行を指示するために用いられる。操作キー１１６は、操作キー１１５の楕円形の中心付近に配置される。
【００２９】
操作キー１１７は、電話機モードにおいて着信を受ける場合や発信を行う場合に利用されるキーであり、第１の筐体１０１の表面において、操作キー１１３の右下かつ操作キー１１５の左下の位置に配置される。
操作キー１１９は、各種の処理モードにおいて処理を終了する場合に利用されるキーである。例えば、電話機モードにおいて通話を終了する場合に用いられる。操作キー１１９は、第１の筐体１０１の表面において、操作キー１１４の左下かつ操作キー１１５の右下の位置に配置される。
操作キー１１８は、各種の処理モードにおいて文字やデータの消去を行う場合に利用されるキーであり、第１の筐体１０１の表面において、操作キー１１７および１１９の間に配置される。
【００３０】
操作キー１２１は、操作キー１１７〜１１９の下側に、３列×４行の行列状に配列された、１２個のキーからなる記号入力用のキー群である。これら１２個のキーには、数字（「０」〜「９」）やアルファベット（「ａ」〜「ｚ」，「Ａ」〜「Ｚ」）、記号（「＊」、「＃」、「／」等）を入力するためのキーが含まれる。
【００３１】
また、連結部を上側にして表面を見た場合における第１の筐体１０１の左側面（矢印Ｅの方向から見た第１の筐体１０１の側面）には、その連結部に近い側に、操作キー１２２〜１２４が配置される。
【００３２】
操作キー１２２〜１２３は、主としてクローズ状態において使用されるキーであり、処理モードに応じて種々の機能が割り当てられる。また、操作キー１２２〜１２３は、キー入力部１５４に含まれる。
これらの３つの操作キーは、第１の筐体１０１の左側面において上寄りの位置に、操作キー１２２，１２３，１２４の順番で上から下へ一列に並んで配置される。
【００３３】
更に、連結部を上側にして操作キー１１０の面を見た場合における第１の筐体１０１の下側の側面には、そのほぼ中央に、マイク用の穴１０９が設けられる。
【００３４】
また、第１の筐体１０１に接していない側の第２の筐体１０２の面上には、図１（Ａ）および図２（Ａ）に示すように、矩形の表示画面１０４が配置される。表示画面１０４は、例えばＬＣＤ（liquid crystal display）パネルや有機ＥＬ（electroluminescent）パネルなどの表示デバイスによって構成され、後述の表示部１５５に含まれる。
【００３５】
この表示画面１０４と同一の面上には、両端の短辺にそれぞれ近い位置に、表示画面１０４を挟んでスピーカ用の穴１０６および１０７が設けらる。穴１０７は連結部側の短辺の近くに配置され、穴１０６はその反対側の短辺の近くに配置される。
さらに、この面上には、連結部を下にして見た場合の左下隅に、カメラレンズ１０５が配置されている。カメラレンズ１０５は、後述の撮像部１５７に含まれる。
【００３６】
また、図１（Ｃ）および図２（Ｃ）に示すように、第２の筐体１０２に接していない第１の筐体１０１の裏面には、カメラレンズ１２５およびフラッシュランプ１２６が配置されている。カメラレンズ１２５は、この裏面の連結部側の短辺に近い位置に配置されており、フラッシュランプ１２６は、連結部を上にして見た場合におけるカメラレンズ１２５の左下側の位置に配置されている。カメラレンズ１２５およびフラッシュランプ１２６は、撮像部１５７に含まれる。
【００３７】
図３は、本発明の実施形態に係る携帯電話１０の構成例を示すブロック図である。
図３に例示する携帯電話１０は、通信処理部１５０と、記憶部１５２と、開閉判定部１５３と、キー入力部１５４と、表示部１５５と、音声入出力部１５６と、撮像部１５７と、制御部１５９とを有する。
記憶部１５２は、本発明の記憶手段の一実施形態である。
開閉判定部１５３は、本発明の作動状態判定手段の一実施形態である。
撮像部１５７は、本発明の撮像手段の一実施形態である。
制御部１５９は、本発明の制御手段の一実施形態である。
【００３８】
通信処理部１５０は、基地局３０との間の無線通信に関する処理を行う。例えば、制御部１５９から出力される送信データに所定の変調処理を施して無線信号に変換し、アンテナから送出する。また、アンテナにおいて受信された無線信号に所定の復調処理を施して受信データを再生し、制御部１５９に出力する。
【００３９】
記憶部１５２は、制御部１５９において実行されるプログラムや、制御部１５９の処理で用いられる定数データ、一時的に記憶が必要な変数データ、撮像画像データなどを記憶する。
例えば、表示画面上に撮像画像とともに表示される付加情報の画像の配置情報と開閉判定部１５３の判定結果とを関連づけたデータ・テーブルを記憶する。
【００４０】
開閉判定部１５３は、可動機構１０３による第１の筐体１０１および第２の筐体１０２の回転の状態が、上述したオープン状態またはクローズ状態の何れであるかを判定する。
【００４１】
キー入力部１５４は、上述した操作キー１１０、１２０に対してキーを押下する等の入力操作が行なわれた場合、これに応じた信号を発生して制御部１５９に出力する。
【００４２】
表示部１５５は、制御部１５９において生成される画像データに応じた画像を表示画面１０４に表示させる。
【００４３】
音声処理部１５６は、入力される音声をマイクにおいて電気的な音声信号に変換して増幅、アナログ−デジタル変換、符号化等の信号処理を施し、その処理結果の音声データを制御部１５９へ出力する。また、制御部１５９から入力される音声データに復号化、デジタル−アナログ変換、増幅等の信号処理を施して音声信号を生成し、これをスピーカにおいて音声に変換する。
【００４４】
撮像部１５７は、上述したカメラレンズ１０５や１２５において入射した像を撮像して静止画や動画の画像データを生成し、制御部１５９に出力する。また、制御部１５９の制御に従って、撮像時にフラッシュランプ１２６を点灯させる。
【００４５】
制御部１５９は、記憶部１５２に格納されるプログラムに基づいて処理を実行するコンピュータを有しており、携帯電話１０の全体的な動作に関わる種々の処理を行う。
例えば、電話機の機能に関連する処理として、キー入力部１５４におけるキー入力操作に応じて通信処理部１５０の発呼、着信のシーケンスを制御する処理や、音声処理部１５６において入出力される音声データを通信処理部１５０において送受信させる処理を行う。
撮像機能に関連する処理としては、キー入力部１５４におけるキー入力操作に応じて撮像部１５７に静止画や動画の撮像処理を実行させる処理や、静止画の撮影時において適切なタイミングでフラッシュランプ１２６を点灯させる処理、撮像処理によって生成される画像データに圧縮符号化等の画像処理を施して記憶部１５２に格納する処理などを行う。
【００４６】
また、制御部１５９は、これらの処理の流れを制御するための情報（以降、制御情報と表記する）の少なくとも一部と、その入力に用いる操作キーとの対応付けを、開閉判定部１５３の判定結果に応じて設定する。すなわち、制御部１５９は、少なくとも一部の制御情報を、オープン／クローズの状態に応じて異なる操作キーに対応付ける。
【００４７】
例えばカメラ・モードにおいて、制御部１５９は、撮像の実行を指示するための撮像実行情報や、ズーム率を設定するためのズーム率設定情報、カメラ撮影に関する各種情報の設定を行うメニュー選択モードに遷移するためのモード遷移情報などを制御情報としてキー入力部１５４より入力する。
制御部１５９は、こうした制御情報と操作キーとの対応付けを、例えば表１に示すように設定する。すなわち、オープン状態において、撮像実行情報を操作キー１１６、ズーム率設定情報を操作キー１１１、モード遷移情報を操作キー１１２にそれぞれ対応付けし、クローズ状態においては、撮像実行情報を操作キー１２３、ズーム率設定情報を操作キー１２４、モード遷移情報を操作キー１２２にそれぞれ対応付ける。
【００４８】
【表１】
2005123908.tif 000003
【００４９】
更に、制御部１５９は、カメラ・モードにおいて、撮像部１５７の撮像画像ととともに、種々の付加情報の画像を表示部１５５に表示させる。付加情報の画像には、例えば、後述する図５に示すように、制御情報と操作キーとの対応付けを表す画像（Ｐ４〜Ｐ６，Ｐ４Ａ〜Ｐ６Ａ）や、基地局より送信される信号の受信強度を表す画像（Ｐ２）、バッテリー残量を表す画像（Ｐ３）などが含まれる。
【００５０】
この場合、制御部１５９は、表示画面１０４上におけるこれらの付加情報の画像の配置（例えば位置や向き）を、開閉判定部１５３の判定結果に応じて変更する。すなわち、付加情報の画像の配置を、オープン／クローズの状態に応じて変更する。
この配置変更は、オープン状態およびクローズ状態のそれぞれで想定されている撮影時の筐体の持ち方に合わせて、表示画面１０４における付加情報の画像を使用者にとって見やすい配置にするものである。
【００５１】
例えば、オープン状態の場合、第２の筐体１０２の連結部側の短辺から他方の短辺へ向かう方向（図１（Ａ）の方向Ａ）が表示画面の上方向となるように、筐体１０１および１０２の長手方向を縦に起こした状態で撮影が行なわれるものとする。また、オープン状態の場合は、上述した方向Ｅと反対の方向（図２（Ａ）の方向Ｂ）が表示画面の上方向となるように、筐体１０１および１０２の長手方向を横に倒した状態で撮影が行なわれるものとする。
筐体の持ち方がこのように想定されているものとすると、制御部１５９は、オープン状態の場合に方向Ａ、クローズ状態の場合に方向Ｂが表示画面１０４の上方向となるように、付加情報の画像の位置や向きを適切に設定する。
【００５２】
また、こうした付加情報の画像配置の変更に際して、制御部１５９は、記憶部１５２に格納されているデータ・テーブルを参照する。このデータ・テーブルでは、開閉判定部１５３の判定結果（オープン状態またはクローズ状態）と、付加情報の画像の配置情報（表示画面１０４上での座標、回転角度など）とが関連づけられている。制御部１５９は、開閉判定部１５３の判定結果に対応する配置情報をこのデータ・テーブルから取得し、当該取得した配置情報に応じて、付加情報の画像の配置を変更する。
【００５３】
ここで、上述した構成を有する携帯電話１０の動作について、本発明に関連する撮像機能を中心に説明する。
【００５４】
図４は、カメラ・モードの概略的な処理の流れの一例を図解したフローチャートである。
【００５５】
先ず、制御部１５９は、撮像部１５７における撮像処理を起動させ、撮像部１５７において順次に生成される撮像画像のデータを入力する（ステップＳＴ１０１）。
【００５６】
次いで、制御部１５９は、開閉判定部１５３の判定結果に基づいて、可動機構１０３がオープン状態またはクローズ状態の何れにあるかを判定する（ステップＳＴ１０２）。
【００５７】
オープン状態であると判定した場合、制御部１５９は、縦撮影用の配置情報およびキーの対応付けを記憶部１５２のデータ・テーブルから取得する（ステップＳＴ１０３）。そして、撮像部１５７より入力されるデータに応じた撮像画像を表示部１５５に表示させるとともに、この縦撮影用の配置情報に基づいて配置が設定された各付加情報の画像を表示部１５５に表示させる（ステップＳＴ１０４）。
また、クローズ状態であると判定した場合、制御部１５９は、横撮影用の配置情報およびキーの対応付けを記憶部１５２のデータ・テーブルから取得する（ステップＳＴ１０５）。そして、撮像部１５７より入力されるデータに応じた撮像画像を表示部１５５に表示させるとともに、この横撮影用の配置情報に基づいて配置が設定された各付加情報の画像を表示部１５５に表示させる（ステップＳＴ１０６）。
【００５８】
上述のようにして表示部１５５に撮影用の画像が表示された状態でキー入力部１５４（オープン状態とクローズ状態とでキーの対応付けは変更される）より撮像実行情報が入力されると、制御部１５９は、撮像部１５７において生成された撮像画像データに圧縮符号化等の画像処理を施して、記憶部１５２に格納する（ステップＳＴ１０７）。
【００５９】
上述したステップＳＴ１０４、ＳＴ１０５における画像表示の例について、図５〜図７を参照して説明する。
【００６０】
図５は、撮影時における表示画像の一例として、制御情報と操作キーとの対応付けを表す画像を含む場合の表示画像を図解した図である。図５（Ａ）はオープン状態、図５（Ｂ）はクローズ状態における表示画像の例をそれぞれ示す。
【００６１】
画像Ｐ１は、撮像部１５７において撮像された画像である。
画像Ｐ２は、基地局より送信される信号の受信強度を表す画像である。
画像Ｐ３は、バッテリー残量を表す画像である。
【００６２】
図５（Ａ）の画像Ｐ４〜Ｐ６および図５（Ｂ）の画像Ｐ４Ａ〜Ｐ６Ａは、制御情報と操作キーとの対応付けを表す画像である。
すなわち、画像Ｐ４は、ズーム率設定情報が操作キー１１１に対応付けられていることを表す。
画像Ｐ５は、撮像実行情報が操作キー１１６に対応付けられていることを表す。
画像Ｐ６は、モード遷移情報が操作キー１１２に対応付けられていることを表す。
画像Ｐ４Ａは、ズーム率設定情報が操作キー１２４に対応付けられていることを表す。
画像Ｐ５Ａは、撮像実行情報が操作キー１２３に対応付けられていることを表す。
画像Ｐ６Ａは、モード遷移情報が操作キー１２２に対応付けられていることを表す。
【００６３】
図５に示すように、縦撮影時（オープン状態）および横撮影時（クローズ状態）の何れの場合も、各付加情報の画像は表示画面１０４の上方向（ＡまたはＢ）に対して正しい向きで配置される。
また、オープン状態の場合（図５（Ａ））、表示画面１０４上において、受信強度を表す画像Ｐ２が左上隅に、バッテリー残量を表す画像Ｐ３が右上隅にそれぞれ配置される。制御情報と操作キーとの対応付けを示す画像については、ズーム率設定用キーを表す画像Ｐ４が左下隅に、メニュー選択モードへのモード遷移用キーを表す画像Ｐ６が右下隅に、撮像実行用キーを表す画像Ｐ５が画像Ｐ４およびＰ６の中間に、それぞれ配置される。したがって、図５（Ａ）に示すように、表示画面１０４上における画像Ｐ４，Ｐ５，Ｐ６の並び順と、第１の筐体１０１上における操作キー１１１，１１６，１１２の並び順とが等しく、また、表示画面１０４上における画像Ｐ４，Ｐ５，Ｐ６の位置と第１の筐体１０１上における操作キー１１１，１１６，１１２の位置とがそれぞれ近くなることから、使用者は、画像Ｐ４，Ｐ５，Ｐ６と操作キー１１１，１１６，１１２とが対応付けられていることを直感的に把握できる。
クローズ状態の場合（図５（Ｂ））は、表示画面１０４上において、受信強度を表す画像Ｐ２が左上隅に、バッテリー残量を表す画像Ｐ３がその右隣にそれぞれ配置される。制御情報と操作キーとの対応付けを示す画像については、ズーム率設定用キーを表す画像Ｐ４Ａが画像Ｐ３の右隣に、メニュー選択モードへのモード遷移用キーを表す画像Ｐ６Ａが画面の右上隅に、撮像実行用キーを表す画像Ｐ５Ａが画像Ｐ４ＡおよびＰ６Ａの中間に、それぞれ配置される。したがって、クローズ状態の場合も、表示画面１０４上における画像Ｐ４Ａ，Ｐ５Ａ，Ｐ６Ａの並び順と、第１の筐体１０１上における操作キー１２４，１２３，１２２の並び順とが等しく、また、表示画面１０４上における画像Ｐ４Ａ，Ｐ５Ａ，Ｐ６Ａの位置と第１の筐体１０１上における操作キー１２４，１２３，１２２の位置とがそれぞれ近くなることから、使用者は、画像Ｐ４Ａ，Ｐ５Ａ，Ｐ６Ａと操作キー１２４，１２３，１２２とが対応付けられていることを直感的に把握できる。
このように、使用者は、制御情報の画像が表示画面１０４上に配置される位置と向きを見るだけで、これに対応付けられている操作キーを直感的に把握できる。
また、オープン時には携帯電話を縦に構えた姿勢で操作しやすく、クローズ時には横に構えた姿勢で操作しやすくなるように操作キーと制御情報との対応付けを変えているにも関わらず、縦撮影時および横撮影時の表示レイアウトを近似させているため、撮影のスタイルを変更した場合でも表示画面の印象が変わらなくなり、使用者の違和感が少なくなる。
【００６４】
図６は、撮影時における表示画像の他の例として、撮像画像のズーム率を表す画像を含む場合の表示画像を図解した図である。図６（Ａ）はオープン状態、図６（Ｂ）はクローズ状態における表示画像の例をそれぞれ示す。ただし、図５と図６の同一符号は同一の画像を示す。
【００６５】
図６の例では、図５の例における画像Ｐ４〜Ｐ６およびＰ４Ａ〜Ｐ６Ａの代わりに、撮像画像のズーム率を表す画像Ｐ７が表示されている。
画像Ｐ７は、画面の横方向に伸びる棒型の外形を有し、この棒の中には、ズーム率に応じて左右に移動する正方形に近い矩形のマークを有する。
【００６６】
画像Ｐ７は、図６（Ａ）および図６（Ｂ）に示すように、オープン状態およびクローズ状態の何れの場合も、表示画面１０４の上方向（ＡまたはＢ）に対して同様な位置に同様な向きで配置されている。すなわち、撮像画像Ｐ１の下側に、棒を横に倒す向きで配置されている。
したがって、この場合も、縦撮影時および横撮影時の表示レイアウトが近似するため、使用者の違和感が少なくなる。
【００６７】
なお、制御部１５９は、開閉判定部１５３の判定結果に応じて、ズーム率を表す画像の長手方向の長さを変更しても良い。例えば図７に示すように、横方向に画面が広がる横撮影時においては、縦撮影時の画像Ｐ７より長手方向の長さを伸ばした画像Ｐ７Ａを表示させても良い。これにより、ズーム率の細かい制御が容易になるとともに、ズーム率の細かい識別が可能になる。
【００６８】
あるいは、制御部１５９は、開閉判定部１５３の判定結果によらず、ズーム率を表す画像の表示画面１０４上における配置を一定に保っても良い。例えば図８に示すように、横撮影時と縦撮影時とにおいて画像Ｐ７の配置を同じとし、他の付加情報の画像の配置を開閉判定部１５３の判定結果に応じて変更しても良い。これにより、画像Ｐ７を横に倒して表示させていたスペースに空きが生じるため、ここに例えば上述した画像Ｐ４Ａ〜Ｐ６Ａを表示させるなどして、表示画面１０４の有効な利用が可能になる。
【００６９】
以上説明したように、本実施形態によれば、表示部１５５の表示画面１０４上において撮像画像とともに表示される付加情報の画像の配置が開閉判定部１５３の判定結果に応じて変更される。
そのため、オープン状態の場合とクローズ状態の場合とで撮影しやすい筐体の持ち方が異なるとともに、その持ち方の違いによって使用者に対する表示画面１０４の向きが変わってしまう場合でも、それぞれの持ち方における表示画面の向きに合わせて付加情報の画像の配置を適切に変更することが可能になり、付加情報の視認性を高めることができる。
【００７０】
また、開閉判定部１５３の判定結果と付加情報の画像の配置情報とを関連づけたデータ・テーブルが予め記憶部１５２に格納されており、制御部１５９において、開閉判定部１５３の判定結果に対応する上記の配置情報がこのデータ・テーブルから取得され、当該取得された配置情報に応じて付加情報の画像の配置が変更される。
したがって、オープン状態とクローズ状態のそれぞれについて付加情報の画像データを個別に用意する必要がなくなるため、こうした画像データの記憶に必要な領域が少なくなり、メモリを節約することができる。
【００７１】
なお、本発明は上述した実施形態に限定されず、種々の改変が可能である。
【００７２】
例えば、上述した図６〜図８では撮像画像のズーム率を表す画像Ｐ７、Ｐ７Ａを付加情報の画像の一例として示しているが、同様な棒型の画像を動画撮影の経過時間を表す画像として表示しても良い。
例えば図６において、棒の左端に矩形のマークが位置する状態を経過時間ゼロとして、撮影開始とともに、マークを左から右へ移動させる。棒の左端からのマークの移動距離は、動画撮影の経過時間に比例させる。このような制御部１５９の処理により、画像Ｐ７と同様な画像を動画撮影の経過時間を表す画像として表示部１５５に表示させても良い。
この場合、棒の左端から右端までマークが到達するまでの経過時間を、携帯電話１０が一度の通信で伝送できる最大のデータ量に対応した動画像の撮影時間としても良い。
【００７３】
また、制御部１５９は、表示画面１０４上に表示させる撮像画像の大きさやアスペクト比を、開閉判定部１５３の判定結果に応じて変更しても良い。これにより、表示画面１０４上の画像のレイアウトを、それぞれの操作スタイルに合わせて、より自由に変更することができる。
【００７４】
また、制御部１５９は、開閉判定部１５３の判定結果に応じて、撮像画像データの再生画像に所定角度の回転が生じるように、撮像画像データ中における各画素のデータ配列を変換しても良い。
【００７５】
仮に、縦撮影（オープン状態）および横撮影（クローズ状態）で同一の被写体を撮影し、それぞれの撮像画像データをそのまま再生したとすると、一方の画像中の被写体は他方の画像中の被写体に対して９０°横に倒れた状態で表示される。
したがって、例えば縦撮影の撮像画像データを基準として、横撮影の撮像画像データの再生画像に９０°の回転が生じるようにその撮像画像データ中における各画素のデータ配列を変換すれば、縦撮影および横撮影の両方の再生画像の向きを揃えることができる。
【００７６】
上述した実施形態において、第１の筐体１０１の側面に操作キー１２２〜１２４が配置されているが、この例に限らず、例えば第２の筐体１０２の側面にこれらのキーを配置させても良いし、第２の筐体１０２の表面にこれらのキーを配置させても良い。
【００７７】
また、上述した実施形態においては、情報入力手段としてキー型の入力手段を用いる例が示されているが、この例に限らず、例えばホイールやボールの回転の検出によって情報を入力するものや、静電気、光等を利用した非接触型の情報入力手段など、他の種々の情報入力手段を本発明に適用しても良い。
【００７８】
上述した実施形態では、制御部１５９の処理がコンピュータによってプログラムに基づいて処理される例を示したが、これらの処理の少なくとも一部をハードウェアによって実行させることも可能である。
また、逆に、制御部１５９以外の他のユニットにおける少なくとも一部の処理を、制御部１５９のコンピュータにおいて実行させても良い。
【図面の簡単な説明】
【００７９】
【図１】携帯電話のオープン状態における外観の一例を図解した図である。
【図２】携帯電話のクローズ状態における外観の一例を図解した図である。
【図３】本発明の実施形態に係る携帯電話の構成例を示すブロック図である。
【図４】カメラ・モードの概略的な処理の流れの一例を図解したフローチャートである。
【図５】制御情報と操作キーとの対応付けを表す画像を含む場合における、カメラ撮影時の表示画像の一例を図解した図である。
【図６】撮像画像のズーム率を表す画像を含む場合における、カメラ撮影時の表示画像の一例を図解した図である。
【図７】ズーム率を表す画像の長手方向の長さを伸ばす例を図解した図である。
【図８】ズーム率を表す画像の配置を縦撮影時および横撮影時において同じに保つ例を図解した図である。
【符号の説明】
【００８０】
１０…携帯電話、１０２…第１の筐体、１０２…第２の筐体、１０３…可動機構、１０４…表示画面、１０５，１２５…カメラレンズ、１０６，１０７…スピーカ用の穴、１０９…マイク用の穴、１１１〜１１９，１２１〜１２４…操作キー、１２６…フラッシュランプ、１５０…通信処理部、１５２…記憶部、１５３…開閉判定部、１５４…キー入力部、１５５…表示部、１５６…音声処理部、１５７…撮像部、１５９…制御部
【図１】
2005123908.tif 000004
【図２】
2005123908.tif 000005
【図３】
2005123908.tif 000006
【図４】
2005123908.tif 000007
【図５】
2005123908.tif 000008
【図６】
2005123908.tif 000009
【図７】
2005123908.tif 000010
【図８】
2005123908.tif 000011